(57)【要約】【課題】家庭から排出されたごみや産業廃棄物などを焼却するための焼却炉で発生した焼却灰に含まれる資源を効果的に回収できるようにするとともに、同焼却炉で発生した二酸化炭素を固定化できるようにする。【解決手段】焼却炉からの焼却灰の処理装置である。焼却炉１で発生した焼却灰を用いて、ナトリウムとカリウムと塩素とを含有する第１の温度の水溶液を作り出す灰反応装置１２と、水溶液の温度を第１の温度よりも低温の第２の温度に低下させて塩化カリウムを生成分離させる冷却晶析装置１６と、水溶液と焼却炉１で発生した二酸化炭素含有ガスとを反応させて炭酸水素ナトリウムを生成分離させる吸収塔１１と、冷却晶析装置１６および吸収塔１１で塩化カリウムおよび炭酸水素ナトリウムを生成分離させた後の液を灰反応装置１２に戻すための戻し手段１３とを有する。【選択図】図１
2011025117.tif 000002
【特許請求の範囲】
【請求項１】
焼却炉で発生した焼却灰を用いて、ナトリウムとカリウムと塩素とを含有する第１の温度の水溶液を作り出す灰反応装置と、
前記水溶液の温度を第１の温度よりも低温の第２の温度に低下させて塩化カリウムを生成分離させる冷却晶析装置と、
前記水溶液と前記焼却炉で発生した二酸化炭素含有ガスとを反応させて炭酸水素ナトリウムを生成分離させる吸収塔と、
前記冷却晶析装置および吸収塔で塩化カリウムおよび炭酸水素ナトリウムを生成分離させた後の液を前記灰反応装置に戻すための戻し手段とを有することを特徴とする焼却炉からの焼却灰の処理装置。
【請求項２】
冷却晶析装置と吸収塔とがこの順で直列に配置されていることを特徴とする請求項１記載の焼却炉からの焼却灰の処理装置。
【請求項３】
灰反応装置に戻される液は吸収塔で水溶液と二酸化炭素とが反応することにより生成された溶解性炭酸塩を含み、前記灰反応装置は、この灰反応装置に戻される液に含まれる溶解性炭酸塩と、焼却灰に含まれるマグネシウムおよびカルシウムとを反応させて炭酸マグネシウムおよび炭酸カルシウムを生成分離させることが可能であることを特徴とする請求項１または２記載の焼却炉からの焼却灰の処理装置。
【請求項４】
吸収塔で生成された炭酸水素ナトリウムを焼却炉で発生した酸性ガスの処理剤として利用させるための手段を有することを特徴とする請求項１から３までのいずれか１項記載の焼却炉からの焼却灰の処理装置。
【請求項５】
焼却炉で発生した焼却灰を用いて、ナトリウムとカリウムと塩素とを含有する第１の温度の水溶液を生成させ、
前記水溶液の温度を第１の温度よりも低温の第２の温度に低下させることで、前記水溶液から塩化カリウムを生成分離させ、
前記水溶液と前記焼却炉で発生した二酸化炭素含有ガスとを反応させることで、前記水溶液から炭酸水素ナトリウムを生成分離させ、
前記塩化カリウムおよび炭酸水素ナトリウムを生成分離させた後の液を前記第１の温度の水溶液の生成に供することを特徴とする焼却炉からの焼却灰の処理方法。
【請求項６】
水溶液から塩化カリウムを生成分離させた後に、水溶液から炭酸水素ナトリウムを生成分離させることを特徴とする請求項５記載の焼却炉からの焼却灰の処理方法。
【請求項７】
水溶液と二酸化炭素含有ガスとを反応させることで生成された溶解性炭酸塩を含む液を第１の温度の水溶液の生成に供し、この溶解性炭酸塩と焼却灰から前記水溶液に溶解されたマグネシウムおよびカルシウムとを反応させて炭酸マグネシウムおよび炭酸カルシウムを生成分離させることを特徴とする請求項５または６記載の焼却炉からの焼却灰の処理方法。
【請求項８】
生成分離された炭酸水素ナトリウムを焼却炉で発生した酸性ガスの処理剤として用いることを特徴とする請求項５から７までのいずれか１項記載の焼却炉からの焼却灰の処理方法。
【発明の詳細な説明】
【技術分野】
【０００１】
本発明は、焼却炉からの焼却灰の処理装置および処理方法に関する。
【背景技術】
【０００２】
家庭から排出されたごみや、産業廃棄物などは、焼却炉において焼却処理されるのが通例となっている。焼却処理の結果、焼却灰が発生するが、この焼却灰は、埋め立てなどの処理に供されている。しかし、たとえば家庭から排出されるごみにはナトリウムやカリウムが含まれていることが多く、特にナトリウムは塩化物すなわち食塩の形で含まれていることが多い。このため、ナトリウムやカリウムや塩素は、焼却灰中にも一定量以上が含まれている。したがって焼却灰を埋設処理してしまったのでは、これらの資源が回収されず、その再利用ができなくなる。
【０００３】
一方、特許文献１には、生活排水などの排水からナトリウムやカリウムを回収するための方法として、排水を１価イオン選択性イオン交換膜を具備した電気透析装置によって１価イオンを含む濃縮水として分離回収する電気透析工程と、その回収水から晶析操作によって塩化ナトリウムや塩化カリウムを分離回収する工程とを含む手法が開示されている。
【先行技術文献】
【特許文献】
【０００４】
【特許文献１】特開２００１−０２６４１８号公報
【発明の概要】
【発明が解決しようとする課題】
【０００５】
本発明は、家庭から排出されたごみや産業廃棄物などを焼却するための焼却炉で発生した焼却灰に含まれる資源を効果的に回収できるようにするとともに、同焼却炉で発生した二酸化炭素を固定化できるようにすることを目的とする。
【課題を解決するための手段】
【０００６】
この目的を達成するため本発明の焼却炉からの焼却灰の処理装置は、
焼却炉で発生した焼却灰を用いて、ナトリウムとカリウムと塩素とを含有する第１の温度の水溶液を作り出す灰反応装置と、
前記水溶液の温度を第１の温度よりも低温の第２の温度に低下させて塩化カリウムを生成分離させる冷却晶析装置と、
前記水溶液と前記焼却炉で発生した二酸化炭素含有ガスとを反応させて炭酸水素ナトリウムを生成分離させる吸収塔と、
前記冷却晶析装置および吸収塔で塩化カリウムおよび炭酸水素ナトリウムを生成分離させた後の液を前記灰反応装置に戻すための戻し手段とを有することを特徴とする。
【０００７】
本発明の焼却炉からの焼却灰の処理装置は、冷却晶析装置と吸収塔とがこの順で直列に配置されていることが好適である。
本発明の焼却炉からの焼却灰の処理装置は、灰反応装置に戻される液は吸収塔で水溶液と二酸化炭素とが反応することにより生成された溶解性炭酸塩を含み、前記灰反応装置は、この灰反応装置に戻される液に含まれる溶解性炭酸塩と、焼却灰に含まれるマグネシウムおよびカルシウムとを反応させて炭酸マグネシウムおよび炭酸カルシウムを生成分離させることが可能であることが好適である。
【０００８】
本発明の焼却炉からの焼却灰の処理装置は、吸収塔で生成された炭酸水素ナトリウムを焼却炉で発生した酸性ガスの処理剤として利用させるための手段を有することが好適である。
【０００９】
本発明の焼却炉からの焼却灰の処理方法は、
焼却炉で発生した焼却灰を用いて、ナトリウムとカリウムと塩素とを含有する第１の温度の水溶液を生成させ、
前記水溶液の温度を第１の温度よりも低温の第２の温度に低下させることで、前記水溶液から塩化カリウムを生成分離させ、
前記水溶液と前記焼却炉で発生した二酸化炭素含有ガスとを反応させることで、前記水溶液から炭酸水素ナトリウムを生成分離させ、
前記塩化カリウムおよび炭酸水素ナトリウムを生成分離させた後の液を前記第１の温度の水溶液の生成に供することを特徴とする。
【００１０】
本発明の焼却炉からの焼却灰の処理方法によれば、水溶液から塩化カリウムを生成分離させた後に、水溶液から炭酸水素ナトリウムを生成分離させることが好ましい。
本発明の焼却炉からの焼却灰の処理方法によれば、水溶液と二酸化炭素含有ガスとを反応させることで生成された溶解性炭酸塩を含む液を第１の温度の水溶液の生成に供し、この溶解性炭酸塩と焼却灰から前記水溶液に溶解されたマグネシウムおよびカルシウムとを反応させて炭酸マグネシウムおよび炭酸カルシウムを生成分離させることが好ましい。
【００１１】
本発明の焼却炉からの焼却灰の処理方法によれば、生成分離された炭酸水素ナトリウムを焼却炉で発生した酸性ガスの処理剤として用いることが好ましい。
【発明の効果】
【００１２】
本発明によると、焼却炉からの焼却灰に含まれるカリウムを塩化カリウムの形で分別抽出することができるとともに、同焼却灰に含まれるナトリウムを炭酸水素ナトリウムの形で分別抽出することができる。かつ、焼却炉からの排ガスを、炭酸水素ナトリウムを生成する際に用いる二酸化炭素含有ガスとして用いるため、本発明によれば、ナトリウムおよびカリウムの抽出と同時に二酸化炭素の固定化を図ることもできる。
【００１３】
また本発明によると、水溶液と二酸化炭素含有ガスとを反応させることで生成された溶解性炭酸塩を含む液を用いて、焼却灰から水溶液に溶解されたマグネシウムおよびカルシウムを炭酸マグネシウムおよび炭酸カルシウムとして生成分離することができる。
【００１４】
さらに本発明によると、生成分離された炭酸水素ナトリウムを焼却炉で発生した酸性ガスの処理剤として用いることで、系外からの処理剤を利用することなしに、焼却炉で発生した酸性ガスを処理することができる。
【図面の簡単な説明】
【００１５】
【図１】本発明の実施の形態の焼却炉からの焼却灰の処理装置の概略構成を示す図である。
【図２】塩化カリウムと塩化ナトリウムとの水溶液の溶解度の温度依存性を示す図である。
【図３】炭酸水素ナトリウムと炭酸水素カリウムとの水溶液の溶解度の温度依存性を示す図である。
【図４】図１の装置の各部位における各イオンの活量を示す図である。
【図５】図１の装置の各部位における各イオンの活量とｐＨの値とを示す図である。
【発明を実施するための形態】
【００１６】
図１において、１は焼却炉で、家庭から排出されたごみや産業廃棄物などを焼却するために用いられる。焼却炉１では、焼却によって焼却灰が発生する。２はその焼却灰の排出口である。３は焼却炉１からの排ガスのための煙道で、この煙道３には、ガス冷却装置４と、除塵装置５とが設けられている。６は排気用のブロワ、７は煙突である。
【００１７】
１０は、本発明の処理装置を示す。ここで、１１はＣＯ２吸収塔、１２は灰反応装置である。灰反応装置１２は、沈殿槽の形態をとることができる。ＣＯ２吸収塔１１と灰反応装置１２との間には水溶液を循環させるための循環経路１３が設けられている。この循環経路１３において、１４は灰反応装置１２からＣＯ２吸収塔１１への水溶液供給経路、１５はＣＯ２吸収塔１１から灰反応装置１２への戻り経路である。循環経路１３の水溶液供給経路１４には、冷却晶析装置１６が設けられている。
【００１８】
１７は粉砕機で、焼却炉１の排出口２からの焼却灰を粉砕したうえで灰反応装置１２へ供給可能である。焼却炉１にて生成される焼却灰は、ナトリウムとカリウムと塩素とを含むとともに、カルシウムやマグネシウムを含むことが通例である。ナトリウムと塩素とは、一般的には食塩の形態をとっている。カリウムと塩素とは、一般的には塩化カリウムの形態をとっている。灰反応装置１２は、撹拌装置１８を備えている。
【００１９】
ＣＯ２吸収塔１１は、焼却炉１の煙道３からのＣＯ２を含む排ガスをその内部に通過させることで処理し、処理後のガスを煙道３に戻すことができるように構成されている。１９は煙道からの排ガスの供給路、２０は煙道へ戻す排ガスの排出路である。２１はシャワーノズルで、ＣＯ２吸収塔１１の内部を通過する排ガスに対して循環経路１３からの水溶液を噴射させることが可能である。
【００２０】
このような構成において、循環経路１３には最初は水が循環されている。焼却炉１で発生した焼却灰は、上述のようにナトリウムとカリウムと塩素とカルシウムとマグネシウムとを、たとえば食塩などの塩化物の形で含むものであるが、粉砕機１７に供給されて微細に粉砕され、そのうえで灰反応装置１２に送り込まれる。
【００２１】
灰反応装置１２では、塩化物の形のナトリウムやカリウムやカルシウムやマグネシウムは水に溶け、そのうちのカルシウムおよびマグネシウムは、後述のように水中の炭酸イオンと反応して炭酸塩を形成し、装置１２の内部で沈殿され除去される。詳細は後述するが、灰反応装置１２は、６０℃程度で処理を行うように温度設定される。
【００２２】
このようにカルシウムやマグネシウムが除去された６０℃の塩水溶液は、たとえば塩化ナトリウムと塩化カリウムとが混在した塩水溶液の形態となったうえで、循環経路１３の水溶液供給路１４を経て冷却晶析装置１６に供給される。
【００２３】
冷却晶析装置１６では、供給された水溶液が３０℃程度に冷却される。すると、塩化カリウムは、６０℃における飽和濃度に比べて３０℃における飽和濃度が大幅に低いという特性を有するため、液中に溶解していた塩化カリウムは、冷却晶析装置１６の内部に塩として析出し、その底部に沈殿していく。これにより、水溶液からカリウムを塩化カリウム（ＫＣｌ）として分別抽出することができる。
【００２４】
冷却晶析装置１６は、水溶液を強制冷却する構成のものであっても良いし、場合によっては自然放熱の形態の単なるサイクロンによって装置を構成することも可能である。
塩化カリウムを分別抽出した後の水溶液は、ＣＯ２吸収塔１１に供給され、シャワーノズル２１から塔内に散水される。
【００２５】
ＣＯ２吸収塔１１には、焼却炉１の煙道３からのＣＯ２を含む排ガスが供給されている。この排ガスは、塔内に散水された水溶液に接触される。すると、ＣＯ２は炭酸イオンの形で水溶液中に溶け込み、この炭酸イオンと水溶液中のナトリウムとが反応して、炭酸水素ナトリウム（ＮａＨＣＯ３）が形成される。この炭酸水素ナトリウムは、ＣＯ２吸収塔１１の内部の水溶液中で析出し沈殿することで、塔外に排出される。これによって、焼却灰に含まれていたナトリウムが選択的に分別抽出される。
【００２６】
この分別抽出された炭酸水素ナトリウムは、送給路２２を介して煙道３などに供給されることで、焼却炉１で発生した酸性ガスの処理剤として用いられる。このようにすると、系内で排ガスの処理剤を生成することができて、系外から処理剤を供給する必要が無いという利点がある。
【００２７】
冷却晶析装置１６およびＣＯ２吸収塔１１における反応の詳細について説明すると、水溶液が循環経路１３に沿って循環することで、ナトリウムイオンとカリウムイオンと塩素イオンとが次第に濃縮して行き、飽和状態に達した後に塩化カリウムや炭酸水素ナトリウムといった塩の形で析出し沈殿していく。
【００２８】
ナトリウムを除去した後の水溶液は、余剰の溶解性炭酸塩を含んだものとなっているが、その状態で灰反応装置１２に送られる。灰反応装置１２では、上述のようにカルシウムやマグネシウムが水中の溶解性炭酸塩と即座に反応し、炭酸カルシウム（ＣａＣＯ３）や炭酸マグネシウム（ＭｇＣＯ３）となって、残灰とともに沈殿する。沈殿した炭酸カルシウムや炭酸マグネシウムや残灰は、系外に排出され、埋め立てに供されたり、セメント原料などとして再利用されたりすることができる。
【００２９】
たとえばごみ焼却炉の排ガスはＣＯ２濃度が１０％程度であるが、全排出ガスのうちの適当量が、ＣＯ２吸収塔１１に供給されて水溶液に溶解することにより、ナトリウムの抽出に用いられるとともに、灰反応装置１２における炭酸カルシウムや炭酸マグネシウムの沈殿分離のために用いられる。これによって排ガス中のＣＯ２の固定化が行われる。
【００３０】
ＣＯ２が固定化されて除去された後のガスは、排出路２０を経て煙道３に戻される。
カリウムとナトリウムとを分別して抽出するための析出メカニズムについて説明する。図２は、塩化カリウム（ＫＣｌ）と塩化ナトリウム（ＮａＣｌ）との水溶液の溶解度の温度依存性を示すものである。横軸は温度、縦軸は溶解度である。図示のように、塩化ナトリウムは、溶解度の温度依存性はあまり高くないが、塩化カリウムは、塩化ナトリウムに比べて溶解度の温度依存性が高い。すなわち、水溶液の温度が低下すると、それにつれて塩化カリウムの溶解度が大きく低下するため、溶解度を超えた分の塩化カリウムが塩の形で析出する。塩化ナトリウムは、たとえばその濃度を２６質量％未満に制御しておけば、冷却晶析装置１６で析出することはない。
【００３１】
図３は、炭酸水素ナトリウム（ＮａＨＣＯ３）と炭酸水素カリウム（ＫＨＣＯ３）との水溶液の溶解度の温度依存性を示すものである。同様に横軸は温度、縦軸は溶解度である。図示のように、０℃〜６０℃の範囲では、炭酸水素ナトリウムの方が、炭酸水素カリウムよりも溶解度が低い。よって、吸収塔１１へのＣＯ２の供給量を制御することによって、炭酸水素カリウムを溶解度未満に制御した状態で、炭酸水素ナトリウムを溶解度を超えた状態とすることで、ＣＯ２吸収塔１１において炭酸水素ナトリウムを選択的に析出させることができる。
【００３２】
次に系内のイオン挙動について説明する。図４は、図１の装置の各部位における、Ｎａ＋、Ｋ＋、Ｃｌ−、トータルＣＯ３の各イオンの活量を示したものである。また図５は、図１の装置の各部位における、ＨＣＯ３−、ＣＯ３２−の各イオンの活量と、ｐＨの値とを示したものである。
【００３３】
図４に示すように、系内を流れる水溶液は、カリウムリッチの塩溶液の形態である。その基本的なイオンのモルバランスは、
［Ｋ＋Ｎａ］＝［Ｃｌ＋ＨＣＯ３−  ＋２ＣＯ３２−］
となる。ここで、ＣＯ３２−は、その量が多い方が、灰反応装置１２における炭酸カルシウムや炭酸マグネシウムの固定化に有利である。すると、それに対応して、Ｃｌの濃度はあまり高くすることができない。よって、塩化カリウムが析出する条件下では、必然的にＫ濃度が上昇することになる。ただ、ＣＯ２吸収塔１１で炭酸水素ナトリウムを選択的に析出させるため、Ｋ濃度は適当な上限が設定される。
【００３４】
ＣＯ２吸収塔１１の運転温度について説明する。ＣＯ２をナトリウムと反応させるためには、ＣＯ２吸収塔１１の設定温度が低い方が有利である。しかし、ＣＯ２吸収塔１１で炭酸水素ナトリウムが析出し過ぎると、灰反応装置１２に供給される溶解性炭酸塩の量が減少してしまう。また灰反応装置１２は、設定温度が高温である方が、反応時間が短く有利である。このためＣＯ２吸収塔１１ではあまり温度を下げ過ぎないようにすることが好ましい。しかし、ＣＯ２吸収塔１１に供給されるＣＯ２含有ガスは焼却炉１からの排ガスであり、この排ガスはたとえば１６０℃以上の高温であり、またＣＯ２の吸収反応は発熱反応であるため、温度を下げるための工夫をすることが望ましい。またＣＯ２吸収塔１１の設定温度が６０℃を超えると、炭酸水素ナトリウムに分解が起こりやすくなるため、炭酸水素ナトリウムの析出に障害が出てくる可能性がある。これらの点から、ＣＯ２吸収塔１１は、５０〜６０℃に温度設定することが好ましい。なお、循環経路１３を循環する水溶液がＣＯ２吸収塔１１において排ガスで加熱されることによって、スケールの発生が効果的に防止される。
【００３５】
循環経路１３を循環する水溶液のｐＨについて説明する。このｐＨは、吸収ＣＯ２量や焼却灰量によって、他の薬品を使用せずに、制御することができる。吸収ＣＯ２量によってｐＨを制御する場合は、ＣＯ２吸収塔１１に導入するガス量を調節したり、循環経路１３を循環する水溶液をバイパスさせたりすることで、そのｐＨ制御を達成することができる。図５に示すように、ＣＯ２吸収塔１１では、水溶液にＣＯ２を吸収させるとともに炭酸水素ナトリウムを析出させることによって、ＣＯ３２−の活量低下よりもＨＣＯ３−の活量上昇の方が顕著であり、これにともなってｐＨも変化する。ただし、ｐＨ制御に際しては、上述のＣＯ２吸収塔１１の温度制御に及ぼす影響を考慮することが必要になる。
【００３６】
循環経路１３を循環する水溶液の水量について説明する。焼却炉１からの排ガスは水分を含むため、これによって循環水量が増加する。一方、灰反応装置１２に供給される灰は水分を吸収して排出されるので、これによって水量が減少する。水溶液、特に濃縮によって飽和状態となった水溶液は、排出残灰のリンスに使用することが可能である。
【００３７】
ＣＯ２吸収塔１１は、その内部で炭酸水素ナトリウムの析出が起こるため、充填材を使用することは困難である。ＣＯ２吸収塔１１の壁面は、相対的に温度が低くなるため、析出が発生しやすい。これに対し、壁面を加温してスケールの発生を防止することは難しいので、低濃度の塩水などを用いて壁面にシャワー散布することが効果的である。
【００３８】
炭酸水素ナトリウムは、析出粒径が小さくならないようにうまく結晶成長させることが好ましい。析出粒径が小さくなると、沈降性やろ過性が低下するばかりか、煙道３へのガス吹き込みの際に煙道配管への付着が発生するおそれがある。また炭酸水素ナトリウムは、純度が高すぎると、劣化しやすく再利用に適さなくなるため、保存性の良い成分となるようにプロセスを操作することが必要である。
【００３９】
灰反応装置１２の運転温度について説明する。図１の系の性能上、灰反応装置１２は、前述のように６０℃程度の設定温度で運転することが好ましい。灰反応装置１２は、一般的に、その運転温度が高いほど、炭酸カルシウムや炭酸マグネシウムの抽出率が高い。すなわち抽出速度が高い。そして、炭酸カルシウム、炭酸マグネシウムともに生成反応は発熱反応であるため、灰反応装置１２を加熱するための外部からのエネルギは、ほとんど必要ない。
【００４０】
粉砕機１７にて生成される粉砕灰は、細かく粉砕した方が抽出率が高い。その細かさの程度は、粉砕のために必要なエネルギとの兼ね合いによって決定することができる。
灰反応装置１２において、焼却灰からカルシウムなどが溶け出すときには、瞬時に炭酸塩となり、この炭酸塩が他の個体粒子の表面をコーティングしてしまう。すると、他の固体粒子の反応性が阻害されてしまうため、そうならないように、撹拌装置２０による強めの撹拌を行うことが好ましい。あるいは、緩めのメカノケミカル研磨を施すことも好ましい。
【００４１】
灰反応装置１２に供給される原料について説明する。この原料は、モル濃度で、
［Ｋ＋Ｎａ］＞Ｃｌ
でないと、系内の循環が機能しない。また
Ｋ＜Ｃｌ
となると、塩化ナトリウムが析出してくるため、炭酸水素ナトリウムの生産にとってマイナスの要因となる。
【００４２】
これらの関係は、基本的には灰反応装置１２に供給される焼却灰の成分によって決まる。これに対し、塩廃液、飛灰、薬剤などを添加することによって、良好な結果をもたらす可能性もある。
【符号の説明】
【００４３】
１    焼却炉
３    煙道
１０    処理装置
１１    ＣＯ２吸収塔
１２    灰反応装置
１３    循環経路
１６    冷却晶析装置
１７    粉砕機
【図１】
2011025117.tif 000003
【図２】
2011025117.tif 000004
【図３】
2011025117.tif 000005
【図４】
2011025117.tif 000006
【図５】
2011025117.tif 000007